(57)【要約】【課題】  オーディオ／ビデオネットワークでタイムシフト機能を提供する方法及びその装置を提供する。【解決手段】  受信された放送信号から放送コンテンツを復元する段階、復元された放送コンテンツをコンテンツ出力装置に伝送する段階、復元された放送コンテンツをコンテンツ保存装置に伝送する段階、及びタイムシフト機能が要請された場合、コンテンツ出力装置に対する放送コンテンツの伝送を中断する段階を含む。【選択図】      図７
2006325192.tif 000002
【特許請求の範囲】
【請求項１】
受信された放送信号で放送コンテンツを復元する段階と、
前記復元された放送コンテンツをコンテンツ出力装置に伝送する段階と、
前記復元された放送コンテンツをコンテンツ保存装置に伝送する段階と、
タイムシフト機能が要請された場合、前記コンテンツ出力装置に対する前記放送コンテンツの伝送を中断する段階と、を含むタイムシフト機能の提供方法。
【請求項２】
前記復元された放送コンテンツをコンテンツ保存装置に伝送する段階は、チャンネル変更が臨界時間以上要請されていない場合に行われる請求項１に記載のタイムシフト機能の提供方法。
【請求項３】
前記コンテンツ出力装置に対する放送コンテンツの伝送を中断した後でチャンネル変更が要請された場合、前記チャンネル変更要請によって変更されたチャンネルを介して受信される放送信号で放送コンテンツを復元する段階と、前記変更されたチャンネルを通じて受信される放送信号から復元された放送コンテンツを前記コンテンツ出力装置に伝送する段階と、をさらに含む請求項１に記載のタイムシフト機能の提供方法。
【請求項４】
前記放送コンテンツの伝送を中断する段階は、前記コンテンツ出力装置とのオーディオ／ビデオネットワーク連結を解除する段階を含み、
前記変更されたチャンネルを通じて受信される放送信号から復元された放送コンテンツを前記コンテンツ出力装置に伝送する段階は、前記コンテンツ出力装置とのオーディオ／ビデオネットワーク連結を設定する段階を含む請求項３に記載のタイムシフト機能の提供方法。
【請求項５】
放送受信装置から受信される放送コンテンツを出力する段階と、
タイムシフト機能が要請された場合、コンテンツ保存装置から受信される放送コンテンツを出力する段階と、を含むタイムシフト機能の提供方法。
【請求項６】
前記コンテンツ保存装置から受信される放送コンテンツを出力する段階は、
前記放送受信装置とのオーディオ／ビデオネットワーク連結を解除する段階と、
前記コンテンツ保存装置とのオーディオ／ビデオネットワーク連結を設定する段階と、
前記コンテンツ保存装置から前記放送コンテンツを受信する段階と、
前記コンテンツ保存装置から受信された放送コンテンツを出力する段階と、を含む請求項５に記載のタイムシフト機能の提供方法。
【請求項７】
前記コンテンツ保存装置から受信される放送コンテンツは、前記コンテンツ保存装置が前記放送受信装置から受信して保存した放送コンテンツである請求項５に記載のタイムシフト機能の提供方法。
【請求項８】
放送受信装置から放送コンテンツを受信する段階と、
前記受信された放送コンテンツを保存する段階と、
タイムシフト機能が要請された場合、前記保存された放送コンテンツをコンテンツ出力装置に伝送する段階と、を含むタイムシフト機能の提供方法。
【請求項９】
前記放送コンテンツを受信する段階は、臨界時間以上チャンネル変更が要請されていない場合に行われる請求項８に記載のタイムシフト機能の提供方法。
【請求項１０】
チャンネル変更が要請された場合、前記コンテンツ出力装置に対する前記放送コンテンツの伝送を中断させる段階をさらに含む請求項８に記載のタイムシフト機能の提供方法。
【請求項１１】
前記保存された放送コンテンツを前記コンテンツ出力装置に伝送する段階は、前記コンテンツ出力装置とのオーディオ／ビデオネットワーク連結を設定する段階を含み、前記コンテンツ出力装置に対する前記放送コンテンツの伝送を中断させる段階は、前記コンテンツ出力装置とのオーディオ／ビデオネットワーク連結を解除する段階を含む請求項１０に記載のタイムシフト機能の提供方法。
【請求項１２】
受信された放送信号から放送コンテンツを復元する復元モジュールと、
前記復元された放送コンテンツをコンテンツ出力装置及びコンテンツ保存装置に伝送するデバイスインターフェースモジュールと、
タイムシフト機能が要請された場合、前記コンテンツ出力装置に対する前記放送コンテンツの伝送を中断させる制御モジュールと、を含む放送受信装置。
【請求項１３】
前記デバイスインターフェースモジュールは、チャンネル変更要請が臨界時間以上受信されていない場合に、前記復元された放送コンテンツを前記コンテンツ保存装置に伝送する請求項１２に記載の放送受信装置。
【請求項１４】
前記制御モジュールが前記コンテンツ出力装置に対する放送コンテンツの伝送を中断させた後にチャンネル変更が要請された場合、前記復元モジュールは、前記チャンネル変更要請によって変更されたチャンネルを通じて受信される放送信号から放送コンテンツを復元し、前記デバイスインターフェースモジュールは、前記変更されたチャンネルを通じて受信される放送信号から復元された放送コンテンツを前記コンテンツ出力装置に伝送する請求項１２に記載の放送受信装置。
【請求項１５】
前記制御モジュールは、前記デバイスインターフェースモジュールと前記コンテンツ出力装置及び前記コンテンツ保存装置との間のオーディオ／ビデオネットワーク連結を設定するか、解除する請求項１４に記載の放送受信装置。
【請求項１６】
タイムシフト機能の要請如何によって放送受信装置とコンテンツ保存装置のうち、放送コンテンツの受信対象を決定する制御モジュールと、
前記制御モジュールの決定によって前記放送受信装置または前記コンテンツ保存装置から前記放送コンテンツを受信するデバイスインターフェースモジュールと、
前記受信された放送コンテンツをユーザに出力するコンテンツ出力モジュールと、を備えるコンテンツ出力装置。
【請求項１７】
前記制御モジュールは、前記放送コンテンツ受信対象の決定結果によって前記デバイスインターフェースモジュールと前記コンテンツ出力装置及び前記コンテンツ保存装置との間のオーディオ／ビデオネットワーク連結を設定するか、解除する請求項１６に記載のコンテンツ出力装置。
【請求項１８】
前記コンテンツ保存装置から受信される放送コンテンツは、前記コンテンツ保存装置が前記放送受信装置から受信して保存した放送コンテンツである請求項１６に記載のコンテンツ出力装置。
【請求項１９】
放送受信装置から放送コンテンツを受信するデバイスインターフェースモジュールと、
前記受信された放送コンテンツを保存する保存モジュールと、
タイムシフト機能が要請された場合、前記保存された放送コンテンツを前記デバイスインターフェースモジュールを通じてコンテンツ出力装置に伝送させる制御モジュールと、を備えるコンテンツ保存装置。
【請求項２０】
前記デバイスインターフェースモジュールは、臨界時間以上チャンネル変更が要請されていない場合に前記放送受信装置から前記放送コンテンツを受信する請求項１９に記載のコンテンツ保存装置。
【請求項２１】
チャンネル変更が要請された場合、前記制御モジュールは、前記コンテンツ出力装置に対する前記放送コンテンツの伝送を中断させる請求項１９に記載のコンテンツ保存装置。
【請求項２２】
前記制御モジュールは、前記デバイスインターフェースモジュールと前記コンテンツ出力装置及び前記コンテンツ保存装置との間のオーディオ／ビデオネットワーク連結を設定するか、解除する請求項２１に記載のコンテンツ保存装置。
【発明の詳細な説明】
【技術分野】
【０００１】
本発明は、タイムシフト機能の提供に係り、より詳細には、別途のコンテンツ保存装置を備えるオーディオ／ビデオネットワークでチャンネル変更待ち時間を短縮させるタイムシフト機能の提供方法及びその装置に関する。
【背景技術】
【０００２】
最近、放送技術の発展によって衛星放送、地上波放送、及びケーブル放送などを通じたデジタル放送の普及が次第に拡大されている。ユーザは、放送事業者が提供するデジタル放送を受信するために、セットトップボックス、デジタルＴＶのような放送受信装置を使用する。デジタル放送で映像及び音声ストリームは、デジタル情報に圧縮された状態で出力され、これを受信した放送受信装置は、映像及び音声ストリームの圧縮を解除してユーザに出力させる。
【０００３】
デジタル放送を受信して出力するために開発されているセットトップボックスやデジタルＴＶなどは、従来のアナログＴＶで使われていなかった多様な機能を提供している。
【０００４】
例えば、デジタル放送は、映像及び音声情報以外にも放送プログラムに関連した情報を含む電子プログラムガイド（ＥＰＧ）情報を含む。したがって、ユーザは、曜日別、チャンネル別、時間帯別に放送プログラムに関連した多様な情報を獲得することができる。
【０００５】
また、放送受信装置が受信する放送ストリームから特定のビットストリームを抽出してセットトップボックスやデジタルＴＶの内部に装着されたメモリに保存していて、ユーザの要求によって再生させうるタイムシフト機能が登場した。タイムシフト機能を使用すれば、放送を視聴していたユーザが、しばらく席を外している間の放送内容を保存しておいて、ユーザが再び放送を視聴しようとする場合、保存されていた内容から現在の放送内容までを連結してリアルタイムのように提供しうる。
【０００６】
最近には、放送受信装置に内蔵されたメモリを使用せず、放送受信装置と分離された別途のコンテンツ保存装置を備えるオーディオ／ビデオシステムが具現されている。ここで、放送受信装置が受信した放送コンテンツは、コンテンツ保存装置に保存され、コンテンツ保存装置は、自身が保存した放送コンテンツをＴＶに伝送する。してかって、ＴＶはコンテンツ保存装置に保存された放送コンテンツをユーザに出力する。
【０００７】
この場合、ユーザがチャンネル変更を要請すれば、ＴＶは放送受信装置にチャンネル変更を指示し、放送受信装置はＴＶの指示によって変更されたチャンネルの放送信号から放送コンテンツを抽出してコンテンツ保存装置に伝送する。次いで、コンテンツ保存装置は放送受信装置から伝送された放送コンテンツを保存し、保存された放送コンテンツを再びＴＶに伝送する。つまり、タイムシフト機能を提供するために別途のコンテンツ保存装置を使用するオーディオ／ビデオネットワーク環境では、ユーザがリモコンなどを使用してチャンネル変更を要請した後、所定時間チャンネル変更を待たねばならない不便さがある。したがって、オーディオ／ビデオネットワーク上でタイムシフト機能を提供するために別途の放送コンテンツ保存装置を使用する場合に発生するチャンネル変更待ち時間を短縮させるための技術が要求された。
【０００８】
一方、特許文献１は、タイムシフタ機能を小さなロジックの追加のみでトランスポート部内部に具現することによって、チャンネル端とトランスポートとの間にタイムシフト機能を支援するためのＰＶＲ（パーソナルビデオレコーダ）装置を別途に具備しなければならない問題点を補完する技術を開示している。しかし、特許文献１には、本発明が目的とするような、タイムシフト機能のために別途のコンテンツ保存装置を備えるオーディオ／ビデオネットワーク環境でのチャンネル変更時に発生するチャンネル変更待ち時間を減少させるための技術については言及されていない。
【特許文献１】韓国公開特許２００２−７８３３９号公報
【発明の開示】
【発明が解決しようとする課題】
【０００９】
本発明は、オーディオ／ビデオネットワーク上でタイムシフト機能を提供するために別途のコンテンツ保存装置を使用する場合に発生するチャンネル変更待ち時間を短縮させるところにその目的がある。
【００１０】
本発明の目的は、以上で言及した目的に制限されず、言及されていない他の目的は下の記載から当業者に明確に理解されうる。
【課題を解決するための手段】
【００１１】
前記目的を達成するための本発明の実施形態によるタイムシフト機能の提供方法は、受信された放送信号から放送コンテンツを復元する段階、前記復元された放送コンテンツをコンテンツ出力装置に伝送する段階、前記復元された放送コンテンツをコンテンツ保存装置に伝送する段階、及びタイムシフト機能が要請された場合、前記コンテンツ出力装置に対する前記放送コンテンツの伝送を中断する段階を含む。
【００１２】
前記目的を達成するための本発明の他の実施形態によるタイムシフト機能の提供方法は、放送受信装置から受信される放送コンテンツを出力する段階、及びタイムシフト機能が要請された場合、コンテンツ保存装置から受信される放送コンテンツを出力する段階を含む。
【００１３】
前記目的を達成するための本発明のさらに他の実施形態によるタイムシフト機能の提供方法は、放送受信装置から放送コンテンツを受信する段階、前記受信された放送コンテンツを保存する段階、及びタイムシフト機能が要請された場合、前記保存された放送コンテンツをコンテンツ出力装置に伝送する段階を含む。
【００１４】
前記目的を達成するための本発明の他の実施形態による放送受信装置は、受信された放送信号から放送コンテンツを復元する復元モジュールと、前記復元された放送コンテンツをコンテンツ出力装置及びコンテンツ保存装置に伝送するデバイスインターフェースモジュールと、タイムシフト機能が要請された場合、前記コンテンツ出力装置に対する前記放送コンテンツの伝送を中断させる制御モジュールと、を含む。
【００１５】
前記目的を達成するための本発明の他の実施形態によるコンテンツ出力装置は、タイムシフト機能の要請如何によって放送受信装置とコンテンツ保存装置のうち、放送コンテンツの受信対象を決定する制御モジュールと、前記制御モジュールの決定によって前記放送受信装置または前記コンテンツ保存装置から前記放送コンテンツを受信するデバイスインターフェースモジュールと、前記受信された放送コンテンツをユーザに出力するコンテンツ出力モジュールと、を備える。
【００１６】
前記目的を達成するための本発明の他の実施形態によるコンテンツ保存装置は、放送受信装置から放送コンテンツを受信するデバイスインターフェースモジュールと、前記受信された放送コンテンツを保存する保存モジュールと、タイムシフト機能が要請された場合、前記保存された放送コンテンツを前記デバイスインターフェースモジュールを通じてコンテンツ出力装置に伝送させる制御モジュールと、を備える。
【００１７】
その他の実施例の具体的な事項は詳細な説明及び図面に含まれている。
【発明の効果】
【００１８】
本発明のオーディオ／ビデオ（Ａ／Ｖ）ネットワークでタイムシフト機能を提供する方法及びその装置によれば、チャンネル変更待ち時間を短縮しうる。
【発明を実施するための最良の形態】
【００１９】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２０】
以下、添付された図面を参照して本発明の望ましい実施形態を詳細に説明する。
【００２１】
図１は、本発明の一実施形態によるＡ／Ｖシステムを示す図面である。
【００２２】
図示されたオーディオ／ビデオ（Ａ／Ｖ）ネットワークシステムは、放送受信装置１００、コンテンツ出力装置２００、及びコンテンツ保存装置３００を備える。
【００２３】
放送受信装置１００は、放送事業者から伝送される放送信号１０を受信し、受信された放送信号から放送コンテンツを復元する。放送コンテンツは、映画、ドラマ、ニュースなどのＡ／Ｖデータを含む各種の放送プログラムである。
【００２４】
放送受信装置１００は、復元された放送コンテンツをコンテンツ出力装置２００及びコンテンツ保存装置３００に伝送する。ここで、コンテンツ保存装置３００に対する放送コンテンツの伝送は、ユーザが臨界時間以上チャンネル変更を要請していない場合に行われる。また、ユーザがタイムシフト機能を要請する場合、放送受信装置１００は、コンテンツ出力装置２００に対する放送コンテンツの伝送を中断しうる。このような放送受信装置１００は、セットトップボックスやネットワークインターフェースユニット（ＮＩＴ）などで具現されうる。
【００２５】
本発明を説明するに当たって、タイムシフト機能とは、放送受信装置１００が受信した放送信号に含まれた放送コンテンツをコンテンツ保存装置３００に保存させて置き、ユーザの要請によってコンテンツ出力装置２００がコンテンツ保存装置３００に保存された放送コンテンツをユーザに提供する機能である。したがって、タイムシフト機能によってユーザに提供される放送コンテンツは、放送受信装置１００が受信する放送信号に含まれた放送コンテンツより時間的に遅れた内容を有する。このようなタイムシフト機能は、視聴していた放送コンテンツの一時停止、逆再生、速い再生、及び過ぎ去った時間の放送コンテンツ再生などの細部機能を含む。
【００２６】
コンテンツ出力装置２００は、放送受信装置１００またはコンテンツ保存装置３００から伝送された放送コンテンツをユーザに出力させる。このためにコンテンツ出力装置２００は、オーディオ信号を出力するスピーカーモジュール（図示せず）とビデオ信号を出力するディスプレーモジュール（図示せず）とを含みうる。このようなコンテンツ出力装置２００は、デジタルＴＶ、プロジェクター、モニタ等で具現されうる。
【００２７】
コンテンツ保存装置３００は、一種のＡ／Ｖ  ＨＤＤ（ハードディスクドライバー）であって、放送受信装置１００から伝送される放送コンテンツを保存する。ユーザがタイムシフト機能を要請した場合、コンテンツ保存装置３００は、保存している放送コンテンツをコンテンツ出力装置２００に伝送する。
【００２８】
本発明の一実施形態によれば、放送受信装置１００及びコンテンツ保存装置３００は、コンテンツ出力装置２００を中心にデイジーチェイン（ｄａｉｓｙ  ｃｈａｉｎ）方式で連結されうる。したがって、コンテンツ出力装置２００は、ユーザがチャンネル変更を要請するか、タイムシフト機能を要請した場合、放送受信装置１００及びコンテンツ保存装置３００にチャンネル変更やタイムシフト機能に必要な動作を行うように指示しうる。
【００２９】
一方、放送受信装置１００、コンテンツ出力装置２００、及びコンテンツ保存装置３００間のデータ伝送時にＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）のような所定の保安プロトコルが使われうる。
【００３０】
本発明の望ましい実施形態によれば、示されたＡ／Ｖネットワークは、Ａ／ＶホームネットワーキングのためのミドルウェアーであるＸＨＴ（エキスパンダブルホームシアタ）技術を使用して具現されうる。
【００３１】
ＸＨＴ技術は、三星電子（株）が開発したデジタルＴＶ中心のホームネットワークソリューションであって、米国家電協会（ＣＥＡ）の標準規格として採択された。
【００３２】
ＸＨＴ技術は、複数のＨＤ（高精細度）級の信号を安定的に伝達しうるＩＥＥＥ  １３９４ケーブルとインターネットで主に使われる通信規格のインターネットプロトコルを用いて、デジタルＴＶと連結されたＡ／Ｖ機器はもとより、複数台のデジタルＴＶを制御可能にする。ＸＨＴ技術を用いると、茶の間でも居間にあるデジタルＴＶのデジタル放送受信機能を活用してデジタル放送を視聴しうる。
【００３３】
以上で説明したＡ／Ｖシステムを構成する放送受信装置１００、コンテンツ出力装置２００、及びコンテンツ保存装置３００についてさらに具体的に説明する。
【００３４】
図２は、本発明の一実施形態による放送受信装置を示すブロック図である。
【００３５】
図示された放送受信装置１００は、放送信号受信モジュール１１０、制限受信モジュール１２０、復元モジュール１３０、スマートカードインターフェースモジュール１４０、ネットワークインターフェースモジュール１５０、制御モジュール１６０、及びデバイスインターフェースモジュール１７０を含む。
【００３６】
放送信号受信モジュール１１０は、放送信号を受信する役割を行い、チューナ１１２と復調器１１４とを含む。
【００３７】
チューナ１１２は、チャンネルチューニング作業を通じてユーザが要請したチャンネルの放送信号を受信し、受信された放送信号を中間周波数に変換して、復調器１１４に提供する。例えば、放送受信装置１００が衛星放送を受信する場合、チューナ１１２は衛星から受信された信号を処理してＩ／Ｑ信号を検出し、検出されたＩ／Ｑ信号を復調器１１４に提供しうる。
【００３８】
復調器１１４は、中間周波数に変化された信号から伝送ストリームを復元し、復元された伝送ストリームを制限受信モジュール１２０に提供する。例えば、復調器１１４は、ＱＰＳＫ（Ｑｕａｄｒａｔｉｃ  Ｐｈａｓｅ  Ｓｈｉｆｔ  Ｋｅｙｉｎｇ）復調器（図示せず）とＦＥＣ復調器（図示せず）とでなされ、これを通じてＱＰＳＫ復調及びＦＥＣ（Ｆｏｒｗａｒｄ  Ｅｒｒｏｒ  Ｃｏｒｒｅｃｔｉｏｎ）作業を行える。
【００３９】
制限受信モジュール１２０は、スマートカード２０を用いてユーザ認証作業を行う。さらに具体的に説明すれば、制限受信モジュール１２０は、復調器１１４から提供された伝送ストリーム内に含まれた認証パラメータとスマートカードインターフェースモジュール１４０がスマートカード２０を判読して提供した認証パラメータを比較して放送受信装置１００のユーザに受信権限の有無を判断する。両認証パラメータが同一ならば、ユーザに受信権限があると判断し、両認証パラメータが同一でなければ、ユーザに受信権限がないと判断しうる。
【００４０】
ユーザ認証結果、ユーザに受信権限があると判断されれば、制限受信モジュール１２０は、伝送ストリームをデスクランブリングする。しかし、ユーザ認証結果、ユーザに受信権限がないと判断されれば、制限受信モジュール１２０は、伝送ストリームに対するデスクランブリング作業を行わない。したがって、ユーザが料金を支払ったチャンネルの放送信号に対しては、デスクランブリングが行われるが、そうでないチャンネルの放送信号に対しては、デスクランブリングが行われない。
【００４１】
復元モジュール１３０は、制限受信モジュール１２０によりデスクランブリングされた伝送ストリームを用いて放送コンテンツを復元する。しかし、制限受信モジュール１２０が伝送ストリームをデスクランブリングしない場合、復元モジュール１３０は伝送ストリームに含まれた放送コンテンツを正常に復元できなくなる。
【００４２】
放送コンテンツを復元するために復元モジュール１３０は、逆多重化モジュール１３２とデコーディングモジュール１３４とを含む。
【００４３】
逆多重化モジュール１３２は、制限受信モジュール１２０からデスクランブリングされた伝送ストリームをパージングしてビデオ信号及びオーディオ信号を分離し、これらをデコーディングモジュール１３４に提供する。
【００４４】
デコーディングモジュール１３４は、ビデオデコーダ（図示せず）及びオーディオデコーダ（図示せず）を含み、これらは各々逆多重化モジュール１３２から提供されたビデオ信号及びオーディオ信号をデコーディングする。このうち、ビデオデコーダは、ＭＰＥＧ−２、ＭＰＥＧ−４などのビデオ圧縮解除方式によって具現でき、オーディオデコーダは、ＭＰ３（ＭＰＥＧ  レイヤ−３）、ＡＣ３（オーディオコンプレッション３）などのオーディオ圧縮解除方式によって具現されうる。
【００４５】
スマートカードインターフェースモジュール１４０は、スマートカード２０を判読してスマートカード２０に保存された認証パラメータを制限受信モジュール１２０に提供する。本発明の他の実施形態によれば、ＳＤカード、メモリスチックのようにスマートカード２０の代わりに認証パラメータを保存しうる他の形態の携帯用記録媒体が使われ、この場合、スマートカードインターフェースモジュール１４０は、該当携帯用記録媒体と連結されうるインターフェースモジュールとして具現されうる。
【００４６】
ネットワークインターフェースモジュール１５０は、インターネットプロトコル基盤の通信を支援して、リターンチャンネルを通じて放送事業者１００と連結される。放送受信装置１００は、ネットワークインターフェースモジュール１５０を通じてユーザに放送事業者１００との対話形サービスを提供しうる。
【００４７】
制御モジュール１６０は、放送受信装置１００を構成する各モジュールの動作を制御する。
【００４８】
コンテンツ出力装置２００からチャンネル変更が要請された場合、制御モジュール１６０は、要請されたチャンネルの放送信号が受信されるように放送信号受信モジュール１１０を制御する。また、コンテンツ出力装置２００からタイムシフト機能が要請された場合、制御モジュール１６０は、コンテンツ出力装置２００に対する放送コンテンツの伝送を中断させる。この際、制御モジュール１６０は、デバイスインターフェースモジュール１７０を通じて放送コンテンツをコンテンツ出力装置２００に提供することをコンテンツ保存装置３００に要請しうる。このような要請のために制御モジュール１６０は、所定のコマンドを生成しうる。
【００４９】
一方、制御モジュール１６０は、デバイスインターフェースモジュール１７０を通じてコンテンツ出力装置２００及びコンテンツ保存装置３００とのＡ／Ｖネットワーク連結設定及びＡ／Ｖネットワーク連結解除作業を行う。
【００５０】
デバイスインターフェースモジュール１７０は、有線媒体または無線媒体を使用してコンテンツ出力装置２００及びコンテンツ保存装置３００と通信を行う。
【００５１】
さらに具体的に、デバイスインターフェースモジュール１７０は、コンテンツ出力装置２００及びコンテンツ保存装置３００に放送コンテンツを伝送する。また、デバイスインターフェースモジュール１７０は、コンテンツ出力装置２００及びコンテンツ保存装置３００と所定のコマンドを送受信する。しかし、これは例示的なものであって、本発明の他の実施形態による放送受信装置１００は、コンテンツ出力装置２００及びコンテンツ保存装置３００とコマンドとを送受信するための別途のインターフェースモジュールをさらに備えうる。
【００５２】
デバイスインターフェースモジュール１７０は、コンテンツ出力装置２００及びコンテンツ保存装置３００との通信時に放送コンテンツの無断コピーを防止するためにＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）やＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）のような保安プロトコルを使用しうる。
【００５３】
一方、デバイスインターフェースモジュール１７０は、コンテンツ出力装置２００及びコンテンツ保存装置３００との連結のための複数の通信ポートをも提供しうる。
【００５４】
図３は、本発明の一実施形態によるコンテンツ出力装置を示すブロック図である。
【００５５】
図示されたコンテンツ出力装置２００は、デバイスインターフェースモジュール２１０、制御モジュール２２０、コンテンツ出力モジュール２３０、及びユーザ要請入力モジュール２４０を含む。
【００５６】
デバイスインターフェースモジュール２１０は、有線媒体または無線媒体を使用して放送受信装置１００及びコンテンツ保存装置３００と通信を行う。
【００５７】
さらに具体的に、デバイスインターフェースモジュール２１０は、放送受信装置１００及びコンテンツ保存装置３００から放送コンテンツを受信する。また、デバイスインターフェースモジュール２１０は、放送受信装置１００及びコンテンツ保存装置３００と所定のコマンドを送受信する。しかし、これは例示的なものであって、本発明の他の実施形態によるコンテンツ出力装置２００は、放送受信装置１００及びコンテンツ保存装置３００とコマンドを送受信するための別途のインターフェースモジュールをさらに含むこともできる。
【００５８】
デバイスインターフェースモジュール２１０は、放送受信装置１００及びコンテンツ保存装置３００との通信時に放送コンテンツの無断コピーを防止するためにＨＤＣＰやＤＴＣＰのような保安プロトコルを使用しうる。
【００５９】
一方、デバイスインターフェースモジュール２１０は、放送受信装置１００及びコンテンツ保存装置３００との連結のための複数の通信ポートをも提供しうる。
【００６０】
制御モジュール２２０は、コンテンツ出力装置２００を構成する機能性ブロックの動作を制御する。
【００６１】
ユーザ要請入力モジュール２１０からチャンネル変更が要請された場合、制御モジュール２３０は、デバイスインターフェースモジュール２１０を通じて放送受信装置１００にチャンネル変更を要請する。また、ユーザ要請入力モジュール２１０からタイムシフト機能が要請された場合、制御モジュール２３０はデバイスインターフェースモジュール２１０を通じて放送受信装置１００にタイムシフト機能を要請する。このような要請のために制御モジュール２２０は、所定のコマンドを生成しうる。
【００６２】
一方、制御モジュール２２０は、デバイスインターフェースモジュール２１０を通じて放送受信装置１００及びコンテンツ保存装置３００とのＡ／Ｖネットワーク連結設定及びＡ／Ｖネットワーク連結解除作業を行う。
【００６３】
コンテンツ出力モジュール２３０は、デバイスインターフェースモジュール２１０が受信した放送コンテンツをユーザに出力する。このためにコンテンツ出力モジュール２３０は、スピーカーモジュール（図示せず）及びディスプレーモジュール（図示せず）を備えうる。スピーカーモジュールは、放送コンテンツを構成するオーディオ信号を出力させ、ディスプレーモジュールは、放送コンテンツを構成するビデオ信号を出力させる。
【００６４】
ユーザ要請入力モジュール２１０は、ユーザの制御命令を入力される。例えば、ユーザ要請入力モジュール２１０は、ユーザのチャンネル変更要請、タイムシフト要請などを入力されうる。
【００６５】
このためにユーザ要請入力モジュール２４０は、キーパッド、タッチスクリーンのような入力手段を提供しうる。またはユーザ要請入力モジュール２４０は、ＩＲ受信機、ブルートゥースモジュールのように無線媒体を通じて制御信号を受信しうる無線インターフェースモジュールを提供することもできる。これにより、ユーザはリモコンやホームサーバーなどを通じて所望の制御信号をコンテンツ出力装置２００に入力させうる。
【００６６】
図４は、本発明の一実施形態によるコンテンツ保存装置を示すブロック図である。
【００６７】
図示されたコンテンツ保存装置３００は、デバイスインターフェースモジュール３１０、制御モジュール３２０、保存モジュール３３０、エンコーディングモジュール３４０、及びデコーディングモジュール３５０を含む。
【００６８】
デバイスインターフェースモジュール３１０は、有線媒体または無線媒体を使用して放送受信装置１００及びコンテンツ出力装置２００と通信を行う、
さらに具体的に、デバイスインターフェースモジュール３１０は、放送受信装置１００から放送コンテンツを受信し、コンテンツ出力装置２００に放送コンテンツを伝送する。また、デバイスインターフェースモジュール３１０は、放送受信装置１００及びコンテンツ出力装置２００と所定のコマンドを送受信する。しかし、これは例示的なものであって、本発明の他の実施形態によるコンテンツ保存装置３００は放送受信装置１００及びコンテンツ出力装置２００とコマンドを送受信するための別途のインターフェースモジュールをさらに備え得る。
【００６９】
デバイスインターフェースモジュール３１０は、放送受信装置１００及びコンテンツ出力装置２００との通信時に放送コンテンツの無断コピーを防止するためにＨＤＣＰやＤＴＣＰのような保安プロトコルを使用しうる。
【００７０】
一方、デバイスインターフェースモジュール３１０は、放送受信装置１００及びコンテンツ出力装置２００との連結のための複数の通信ポートを提供しうる。
【００７１】
制御モジュール３２０は、コンテンツ保存装置３００を構成する機能性ブロックの動作を制御する。
【００７２】
放送受信装置１００またはコンテンツ出力装置２００からタイムシフト機能が要請された場合、制御モジュール３２０は、デコーディングモジュール３５０が保存モジュール３３０に保存された放送コンテンツをデコーディングするように制御する。次いで、制御モジュール３２０は、デコーディングモジュール３５０によりデコーディングされた放送コンテンツをデバイスインターフェースモジュール３１０を通じてコンテンツ出力装置２００に伝送させる。
【００７３】
また、放送受信装置１００またはコンテンツ出力装置２００からチャンネル変更要請が受信された場合、制御モジュール２３０はコンテンツ出力装置２００に対する放送コンテンツ伝送を中断させる。
【００７４】
一方、制御モジュール３２０は、デバイスインターフェースモジュール３１０を通じて放送受信装置１００及びコンテンツ出力装置２００とのＡ／Ｖネットワーク連結設定及びＡ／Ｖネットワーク連結解除作業を行う。
【００７５】
保存モジュール３３０は、放送受信装置１００から伝送された放送コンテンツを保存する。保存モジュール３３０に保存される放送コンテンツは、エンコーディングモジュール３４０によりＭＰＥＧ−２、ＭＰＥＧ−４、ＭＰ３、ＡＣ３のようなＡ／Ｖデータ圧縮方式でエンコーディングされた状態である。
【００７６】
デコーディングモジュール３５０は、保存モジュール３３０に保存されたコンテンツをデコーディングする。デコーディングモジュール３５０が使用するＡ／Ｖデータ圧縮解除方式は、エンコーディングモジュール３４０が使用するＡ／Ｖデータ圧縮方式と対応する。
【００７７】
図２及び図４の実施例で“モジュール”はソフトウェアまたはＦＰＧＡ（Ｆｉｅｌｄ  Ｐｒｏｇｒａｍｍａｂｌｅ  Ｇａｔｅ  Ａｒｒａｙ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールはアドレッシングできる保存媒体に位置すべく構成されても良く、１つまたはそれ以上のプロセッサーを再生させるように構成されても良い。したがって、一例としてモジュールはソフトウェア構成要素、客体向けソフトウェア構成要素、クラス構成要素及びタスク構成要素のような構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。構成要素とモジュール内で提供される機能はより少数の構成要素及びモジュールに結合されるか、追加的な構成要素とモジュールにさらに分離されうる。
【００７８】
以下、前述した放送受信装置１００、コンテンツ出力装置２００、及びコンテンツ保存装置３００の動作過程についてさらに具体的に説明する。
【００７９】
図５は、本発明の一実施形態によるＡ／Ｖシステムの動作過程を示すフローチャートである。図示されたフローチャートは、Ａ／Ｖシステムがタイムシフト機能を提供しない状況で行われる過程を示すフローチャートである。
【００８０】
コンテンツ出力装置２００のユーザ要請入力モジュール２４０を通じてチャンネル変更要請が入力されれば（Ｓ４１０）、制御モジュール２２０は、デバイスインターフェースモジュール２１０を通じて放送受信装置１００にチャンネル変更を要請する（Ｓ４１５）、この際、制御モジュール２２０は、チャンネル変更要請コマンドを生成し、これをデバイスインターフェースモジュール２１０を通じて放送受信装置１００に伝送させうる。
【００８１】
放送受信装置１００のデバイスインターフェースモジュール１７０がコンテンツ出力装置２００からチャンネル変更要請コマンドを受信すれば、放送信号受信モジュール１１０は、チャンネルチューニング作業を行い、要請されたチャンネルの放送信号を受信する（Ｓ４２０）。次いで、復元モジュール１３０は、放送信号受信モジュール１１０が受信した放送信号に含まれた放送コンテンツを復元する（Ｓ４２５）。次いで、放送受信装置１００のデバイスインターフェースモジュール１７０は、復元された放送コンテンツをコンテンツ出力装置２００に伝送する（Ｓ４３０）。放送コンテンツを伝送する前に放送受信装置１００の制御モジュール１６０とコンテンツ出力装置２００の制御モジュール２２０は、各々放送受信装置１００のデバイスインターフェースモジュール１７０とコンテンツ出力装置２００のデバイスインターフェースモジュール２１０とを通じてＡ／Ｖネットワーク連結設定作業を行える。
【００８２】
コンテンツ出力装置２００のデバイスインターフェースモジュール２１０が放送受信装置１００から放送コンテンツを受信すれば、コンテンツ出力モジュール２３０はこれをユーザに出力する（Ｓ４３５）。
【００８３】
一方、放送受信装置１００の制御モジュール１６０は、復元モジュール１３０により復元された放送コンテンツをデバイスインターフェースモジュール１７０を通じてコンテンツ保存装置３００に伝送させる（Ｓ４４０）。放送コンテンツを伝送する前に放送受信装置１００の制御モジュール１６０とコンテンツ保存装置３００の制御モジュール３２０は、各々放送受信装置１００のデバイスインターフェースモジュール１７０とコンテンツ保存装置３００のデバイスインターフェースモジュール３１０とを通じてＡ／Ｖネットワーク連結設定作業を行える。
【００８４】
コンテンツ保存装置３００のデバイスインターフェースモジュール３１０が放送受信装置１００から放送コンテンツを受信すれば、エンコーディングモジュール３４０は、受信された放送コンテンツを所定のＡ／Ｖ圧縮方式によってエンコーディングする（Ｓ４４５）。
【００８５】
次いで、保存モジュール３３０は、エンコーディングモジュール３４０によりエンコーディングされた放送コンテンツを保存する（Ｓ４５０）。
【００８６】
一方、放送受信装置１００がコンテンツ保存装置３００に放送コンテンツを伝送する過程（Ｓ４４０）は、所定の条件によって行われ、これを図６を参照して説明する。
【００８７】
コンテンツ出力装置２００からチャンネル変更を要請された場合（Ｓ４１５）、放送受信装置１００の制御モジュール１６０は、コンテンツ出力装置２００から新たなチャンネル変更要請が受信されるか否かを判断する（Ｓ５１０）。もし、放送受信装置１００のデバイスインターフェースモジュール１７０がコンテンツ出力装置２００から新たなチャンネル変更要請を受信するならば、制御モジュール１６０は放送受信装置１００が図５の段階Ｓ４２０ないし段階Ｓ４３０の過程を行うように放送受信装置１００の機能性ブロックを制御する。
【００８８】
しかし、段階Ｓ５１０の判断結果、新たなチャンネル変更要請が受信されていないならば、放送受信装置１００の制御モジュール１６０は、以前のチャンネル変更要請の受信時点から臨界時間が経過したかを判断する（Ｓ５２０）。判断結果、臨界時間が経過するまで、新たなチャンネル変更要請が受信されていなければ、制御モジュール１６０は復元モジュール１３０により復元された放送コンテンツをデバイスインターフェースモジュール１７０を通じてコンテンツ保存モジュール３００に伝送させる。この際、臨界時間は、チャンネルをブラウジングするために連続的にチャンネルを変更させるユーザがリモコンのチャンネル変更ボタンなどを使用して、以前チャンネル変更を入力した時点から次のチャンネル変更を入力するまでかかる平均的な時間に設定しうる。このような臨界時間は、複数のユーザを対象とした標本実験などを通じて得られる。
【００８９】
これにより、コンテンツ保存装置３００は、ユーザがチャンネルをブラウジングする間には、放送コンテンツを保存しなくてもよく、ユーザが特定チャンネルを選択して放送コンテンツを視聴していると判断された場合には、放送コンテンツを保存する。
【００９０】
図５及び図６に基づいて説明したように、コンテンツ保存装置３００が放送コンテンツを保存する途中にユーザがタイムシフト機能を要請した場合の実施形態を図７を参照して説明する。
【００９１】
図７は、本発明の一実施形態によるタイムシフト機能の提供方法を示すフローチャートである。
【００９２】
コンテンツ出力装置２００のユーザ要請入力モジュール２２０を通じてタイムシフト機能が要請されれば（Ｓ６１０）、制御モジュール２２０はデバイスインターフェースモジュール２１０を通じて放送受信装置１００にタイムシフト機能を要請する（Ｓ６２０）。この際、制御モジュール２２０は、タイムシフト機能要請コマンドを生成し、これをデバイスインターフェースモジュール２１０を通じて放送受信装置１００に伝送させうる。
【００９３】
放送受信装置１００のデバイスインターフェースモジュール１７０がコンテンツ出力装置２００からタイムシフト機能要請コマンドを受信すれば、放送受信装置１００の制御モジュール１６０は、コンテンツ出力装置２００に対する放送コンテンツ伝送を中断させる（Ｓ６３０）。この際、放送受信装置１００の制御モジュール１６０とコンテンツ出力装置２００の制御モジュール２２０は、各々放送受信装置１００のデバイスインターフェースモジュール１７０とコンテンツ出力装置２００のデバイスインターフェースモジュール２１０とを通じてＡ／Ｖネットワーク連結解除作業を行える。
【００９４】
次いで、放送受信装置１００の制御モジュール１６０は、デバイスインターフェースモジュール１７０を通じてコンテンツ保存装置３００にタイムシフト機能を要請する（Ｓ６４０）。この際、デバイスインターフェースモジュール１７０は、コンテンツ出力装置２００から受信されたタイムシフト機能要請コマンドまたは制御モジュール１６０が生成したタイムシフト機能要請コマンドをコンテンツ保存装置３００に伝送しうる。
【００９５】
コンテンツ保存装置３００のデバイスインターフェースモジュール３１０が放送受信装置１００からタイムシフト機能要請コマンドを受信すれば、デコーディングモジュール３５０は、保存モジュール３３０に保存された放送コンテンツをデコーディングする（Ｓ６５０）。
【００９６】
次いで、コンテンツ保存装置３００のデバイスインターフェースモジュール３１０は、デコーディングされた放送コンテンツをコンテンツ出力装置２００に伝送する（Ｓ６６０）。放送コンテンツを伝送する前にコンテンツ出力装置２００の制御モジュール２２０とコンテンツ保存装置３００の制御モジュール３２０は、各々コンテンツ出力装置２００のデバイスインターフェースモジュール２１０とコンテンツ保存装置３００のデバイスインターフェースモジュール３１０とを通じてＡ／Ｖネットワーク連結設定作業を行える。
【００９７】
コンテンツ出力装置２００のデバイスインターフェースモジュール２１０がコンテンツ保存装置３００から放送コンテンツを受信すれば、コンテンツ出力モジュール２３０は受信された放送コンテンツをユーザに出力する（Ｓ６７０）。
【００９８】
本発明の他の実施形態によれば、図７の段階Ｓ６４０は、放送出力装置２００の制御モジュール２２０がデバイスインターフェースモジュール２１０を通じてコンテンツ保存装置３００にタイムシフト機能を直接要請する過程に代替されうる。
【００９９】
一方、図７に示された過程の実行中にも、放送受信装置１００とコンテンツ保存装置３００との間には、図５を通じて説明した段階Ｓ４４０ないし段階Ｓ４５０の過程が持続的に行われる。すなわち、コンテンツ保存装置３００のデバイスインターフェースモジュール３１０は、放送受信装置１００から持続的に放送コンテンツを受信し、エンコーディングモジュール３４０は受信された放送コンテンツをエンコーディングし、保存モジュール３３０はエンコーディングされた放送コンテンツを保存する。
【０１００】
また、図７に示された過程の実行中に、ユーザがチャンネル変更を要請すれば、コンテンツ出力装置２００は、図５の段階Ｓ４１５と同様に、放送受信装置１００にチャンネル変更を要請し、これにより、放送受信装置１００の制御モジュール１６０がデバイスインターフェースモジュール１７０を通じてコンテンツ保存装置３００にタイムシフト機能解除を要請しうる。または、コンテンツ出力装置２００の制御モジュール２２０がデバイスインターフェースモジュール２１０を通じてコンテンツ保存装置に直接タイムシフト機能解除を要請しうる。この場合のコンテンツ保存装置３００の動作過程を図８に示した。
【０１０１】
コンテンツ保存装置３００のデバイスインターフェースモジュール３１０が放送受信装置１００またはコンテンツ出力装置２００からタイムシフト機能解除を要請されれば（Ｓ７１０）、制御モジュール３２０はコンテンツ出力装置２００に対する放送コンテンツ伝送を中断させうる（Ｓ７２０）。この際、コンテンツ保存装置３００の制御モジュール３２０とコンテンツ出力装置２００との制御モジュール２２０は、各々コンテンツ保存装置３００のデバイスインターフェースモジュール３１０とコンテンツ出力装置２００のデバイスインターフェースモジュール２１０とを通じてＡ／Ｖネットワーク連結解除作業を行える。
【０１０２】
一方、本発明の他の実施形態によれば、ユーザのチャンネル変更要請及びタイムシフト機能要請によって放送受信装置１００、コンテンツ出力装置２００、及びコンテンツ保存装置３００の間に送受信されるチャンネル変更要請、タイムシフト機能要請、及びタイムシフト機能解除要請は、Ａ／Ｖシステムを制御する別途のサーバー（図示せず）を通じて放送受信装置１００、コンテンツ出力装置２００、及びコンテンツ保存装置３００各々に直接伝送されることもある。
【０１０３】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【０１０４】
本発明は、Ａ／Ｖネットワークでタイムシフト機能を提供する方法及びその装置に関連した技術分野に好適に適用されうる。
【図面の簡単な説明】
【０１０５】
【図１】本発明の一実施形態によるＡ／Ｖシステムを示す図である。
【図２】本発明の一実施形態による放送受信装置を示すブロック図である。
【図３】本発明の一実施形態によるコンテンツ出力装置を示すブロック図である。
【図４】本発明の一実施形態によるコンテンツ保存装置を示すブロック図である。
【図５】本発明の一実施形態によるＡ／Ｖシステムの動作過程を示すフローチャートである。
【図６】本発明の一実施形態による放送受信装置がコンテンツ保存装置に放送コンテンツを伝送する過程を示すフローチャートである。
【図７】本発明の一実施形態によるタイムシフト機能の提供方法を示すフローチャートである。
【図８】本発明の一実施形態によるタイムシフト機能解除時のコンテンツ保存装置の動作過程を示すフローチャートである。
【符号の説明】
【０１０６】
１１０      放送信号受信モジュール
１２０      制限受信モジュール
１３０      復元モジュール
１４０      スマートカードインターフェースモジュール
１５０      ネットワークインターフェースモジュール
１６０      制御モジュール
１７０      デバイスインターフェースモジュール
【図１】
2006325192.tif 000003
【図２】
2006325192.tif 000004
【図３】
2006325192.tif 000005
【図４】
2006325192.tif 000006
【図５】
2006325192.tif 000007
【図６】
2006325192.tif 000008
【図７】
2006325192.tif 000009
【図８】
2006325192.tif 000010